(57)【要約】【課題】  簡単な構成によってコストを抑えつつ、耐破損性及び耐久性を向上させた操作装置を備える遊技機をを得る。【解決手段】  遊技機の外装部を構成する操作パネル６４を合成樹脂により型成形によって形成するとともに、操作パネル６４には、表側から押圧することで裏側へ弾性変形する弾性片９６、９８を一体的に設ける。操作パネル６４の表面には、合成樹脂からなるフィルム８８をインサート成形により一体的に設け、フィルム８８によって操作パネル６４の表面を被覆する。この操作パネル６４の裏側にスイッチを設け、スイッチの可動検出部が、球貸ボタン５２及び返却ボタン５４の押圧操作により弾性変形し操作パネル６４の裏側へ移動する弾性片９６、９８に押し込まれるよう構成する。【選択図】        図６
2006025971.tif 000002
【特許請求の範囲】
【請求項１】
遊技機の外装部を構成する型成形により形成された合成樹脂からなるパネル部材と、
前記パネル部材に一体的に設けられ、パネル部材の表側から押圧されることによりパネル部材の裏側へ弾性変形可能とされた弾性片と、
前記弾性片を被覆し且つ弾性片の表面に略密着するよう前記パネル部材の表面にインサート成形により一体的に設けられた合成樹脂からなるフィルムと、
前記パネル部材の裏側に配置され、前記押圧によって弾性変形される前記弾性片に可動検出部が押し込まれることによりＯＦＦ状態からＯＮ状態に切り替わるスイッチと、
を有することを特徴とする遊技機の操作装置。
【請求項２】
前記弾性片を前記パネル部材に形成した孔部内に設け、この弾性片は、前記孔部の内周縁に一端が接続されるとともに孔部の内側を内周縁に沿って延出された腕部と、前記腕部の他端に接続されて前記孔部の略中央に配置されるとともに前記押圧によって前記可動検出部を押し込む押圧部と、を有することを特徴とする請求項１記載の遊技機の操作装置。
【発明の詳細な説明】
【技術分野】
【０００１】
本発明は、遊技機の操作装置に係り、詳細には、貸球の貸し出し操作や球貸機に挿入したプリペイドカードの取り出し操作等を行うために遊技機の外装部に設けられる遊技機の操作装置に関する。
【背景技術】
【０００２】
パチンコ機等の遊技機では、上皿（打球供給皿）の前面等に、貸球の貸し出し操作用となる球貸ボタン及び球貸機に挿入したプリペイドカードの取り出し操作用となる返却ボタンが設けられている。遊技者は、これらのボタンを操作することで、貸球の借用やプリペイドカードの受け取りが可能となり、このような操作装置に関する技術としては、スイッチが実装された基板（プリント配線板）を基板ケースの裏面に取り付けるとともに基板ケースにはスイッチに対応する弾性片を設け、さらに基板ケースの表面に透明プラスチック製のプッシュプレートを取り付けて弾性片を覆うことにより、ボタン操作では、プッシュプレートを押圧することでその押圧方向へ弾性変形する弾性片にスイッチが押し込まれるようになり、これによって、ボタン操作を容易にし誤操作を防止するようにしているものがある（例えば、特許文献１参照）。
【特許文献１】特開２００２−３６９９５９号公報
【発明の開示】
【発明が解決しようとする課題】
【０００３】
しかしながら、上述した特許文献１の構成では、基板ケースの表面とプッシュプレートとの間に隙間が設けられているため、異物の落下等によってプッシュプレートに衝撃が加わった場合には、その衝撃力がプッシュプレートに直接作用して破損しやすくなり、さらに、上記の隙間によって押圧操作時のプッシュプレートの変形量は大きくされるため、弾性変形及び復元を繰り返すことによる疲労破壊が生じやすくなり耐久性の低下が懸念される。また、上皿とは別体の基板ケースやプッシュプレートを用いているため、部品点数が多く製造コストが高くなる問題もある。
【０００４】
本発明は上記事実を考慮して、簡単な構成によってコストを抑えつつ、耐破損性及び耐久性を向上させた操作装置を備える遊技機を提供することを課題とする。
【課題を解決するための手段】
【０００５】
上記目的を達成するために請求項１に記載の発明は、遊技機の外装部を構成する型成形により形成された合成樹脂からなるパネル部材と、前記パネル部材に一体的に設けられ、パネル部材の表側から押圧されることによりパネル部材の裏側へ弾性変形可能とされた弾性片と、前記弾性片を被覆し且つ弾性片の表面に略密着するよう前記パネル部材の表面にインサート成形により一体的に設けられた合成樹脂からなるフィルムと、前記パネル部材の裏側に配置され、前記押圧によって弾性変形される前記弾性片に可動検出部が押し込まれることによりＯＦＦ状態からＯＮ状態に切り替わるスイッチと、を有することを特徴としている。
【０００６】
請求項１に記載の発明では、遊技機の外装部を構成するパネル部材を合成樹脂により型成形によって形成するとともに、このパネル部材に、パネル部材の表側から押圧することでパネル部材の裏側へ弾性変形する弾性片を一体的に設ける。パネル部材の表面には、合成樹脂からなるフィルムをインサート成形により一体的に設け、このフィルムによりパネル部材の表面を被覆するとともにフィルムは弾性片の表面に略密着するよう構成する。また、パネル部材の裏側には、可動検出部を備えるスイッチを設け、このスイッチは、弾性変形に伴いパネル部材の裏側へ移動する弾性片に可動検出部が押し込まれる位置に配置する。
【０００７】
この操作装置における操作では、フィルムにおける弾性片との対応部位がフィルムの表面側から押圧されると、フィルムは裏面側へ弾性変形し、それに伴いフィルムに略密着された弾性片がフィルムに直接押されてパネル部材の裏側へ弾性変形する。この弾性変形でパネル部材の裏側へ移動する弾性片に可動検出部が押し込まれることにより、スイッチはＯＦＦ状態からＯＮ状態に切り替わり、遊技機では、このスイッチの状態変化に基づく所定の動作が行われる。
【０００８】
このように、この操作装置では、フィルムをパネル部材の表面に一体的に設けているため、このパネル部材に一体化されて保持されているフィルムの表面に異物の落下等によって衝撃が加えられても、その衝撃力はフィルムを保持するパネル部材によって直接的に受け止められるため、フィルムが単独で大きく変形したり破損するようなことを防止できる。
【０００９】
また、パネル部材に設けた弾性片もフィルムに密着させていることにより、操作でフィルムが押圧されたときのフィルムと弾性片の弾性変形量はほぼ等しくされ、操作におけるフィルムの変形量を小さくすることができる。これにより、例えば、弾性片とフィルムの間に隙間があり、操作時には弾性片よりもフィルムの方が大きく変形されるような構成に比べ、フィルムに弾性変形及び復元の繰り返しによる疲労破壊が生じにくくなり、フィルムの耐久性を向上することができる。
【００１０】
また、フィルムをインサート成形によってパネル部材の表面に一体的に設けることにより、部品点数が少なくされて構成が簡素化され、これによって、製造コストを低減することができる。
【００１１】
したがって、この遊技機の操作装置であれば、簡単な構成によってコストを抑えつつ、耐破損性及び耐久性を向上させることができる。
【００１２】
請求項２に記載の発明は、請求項１記載の遊技機の操作装置において、前記弾性片を前記パネル部材に形成した孔部内に設け、この弾性片は、前記孔部の内周縁に一端が接続されるとともに孔部の内側を内周縁に沿って延出された腕部と、前記腕部の他端に接続されて前記孔部の略中央に配置されるとともに前記押圧によって前記可動検出部を押し込む押圧部と、を有することを特徴としている。
【００１３】
請求項２に記載の発明では、操作装置の操作時に、フィルムにおける弾性片との対応部位がフィルムの表面側から押圧され、フィルムが裏面側へ弾性変形すると、パネル部材の孔部内に設けられた弾性片は、孔部の略中央に配置された押圧部がフィルムによって押される。これに伴い、孔部の内周縁に一端が接続されて他端に接続された押圧部を片持ち状態に支持する腕部が弾性変形し、押圧部はパネル部材の裏側へ移動してスイッチの可動検出部を押し込む。
【００１４】
この押圧部及び腕部を有する弾性片では、腕部が孔部の内側を内周縁に沿って延出されることにより、腕部の長さ寸法の変更幅を大きくすることができる。これにより、例えば、パネル部材を含む遊技機の外装部の強度を高めるために、パネル部材を高い剛性を有する合成樹脂によって形成するような場合でも、腕部の長さ寸法を変更することで腕部の弾性力を容易に調整できるようになる。例えば、腕部の長さ寸法を大きくした場合には、腕部の弾性力を小さくすることができ、さらに、腕部の弾性変形量に伴う押圧部の移動量（ストローク）を大きくすることができる。これにより、操作装置の操作に必要とされる押圧力を所望の値に容易に設定できるようになり、さらに、可動検出部のストロークが大きいスイッチ等にも容易に対応できるようになるため、設計自由度が向上する。
【発明の効果】
【００１５】
本発明の遊技機における操作装置は上記構成としたので、簡単な構成によりコストを抑えつつ、耐破損性及び耐久性を向上することができる。
【発明を実施するための最良の形態】
【００１６】
以下、本発明の実施形態に係るパチンコ機について図面を参照して説明する。
【００１７】
（パチンコ機の構成）
図１に示されるように、パチンコ機１０は、機器の外郭を構成するとともにパチンコホールの島設備に設置される矩形状の外枠１２を備えている。外枠１２の前面には矩形額縁状の内枠１４が配置され、内枠１４は、外枠１２に設けられた一対のヒンジ部１６、１８に左側端部が軸支されて開閉可能に取り付けられている。また、外枠１２の前面下部には下飾り２０が取り付けられている。
【００１８】
内枠１４の前面上部には、円形状の窓部２５にガラス板２２が装着されたガラス枠２６が配置されている。ガラス枠２６は、左側端部が内枠１４に軸支されて開閉可能に取り付けられており、このガラス枠２６の窓部２５に装着されたガラス板２２は、図１の紙面奥行き方向に所定の間隔で互いに平行に配置された一対のガラス板からなる二重構造となっている。
【００１９】
ガラス枠２６の裏面側となる内枠１４の上部には、矩形状の開口部（図示省略）が形成されている。この開口部には遊技盤Ｐがセットされており、遊技盤Ｐは、ガラス枠２６を内枠１４に閉塞した状態でガラス枠２６（ガラス板２２）に覆われている。
【００２０】
ガラス枠２６の前面には、遊技の進行に応じて点灯又は点滅等し照明による演出効果を生み出す演出用の表示灯１４２がガラス板２２（遊技盤Ｐの遊技領域）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが配設されている。
【００２１】
内枠１４の前面下部には、一般的な上皿及び下皿の機能を兼ね備える打球供給皿としての一体皿ユニット３０が配置されている。一体皿ユニット３０は、パネル部材３２の左側端部が内枠１４に軸支されて開閉可能に取り付けられており、パネル部材３２の前面には、上部に遊技球を貯える球皿部３４が形成された球皿本体３６が突設されている。また、パネル部材３２前面の左側下部には灰皿３８が設けられ、右側下部には打球の発射力（飛距離）を調整するための発射ハンドル３９が取り付けられている。
【００２２】
内枠１４裏面の右側端部には、上下方向に延出された図示しない施錠装置が取り付けられており、施錠装置のシリンダー錠（錠前）５４は内枠１４前面の右側端部に設けられた台座５５から露出されている。この施錠装置によって、内枠１４は外枠１２に、ガラス枠２６は内枠１４にそれぞれ施錠されるとともに、一体皿３０は内枠１４にロックされて、それぞれ閉塞状態に固定される。また、シリンダー錠５４の鍵孔５６に図示しない鍵を差し込んで所定方向に回すことにより、内枠１４と外枠１２、及び、ガラス枠２６と内枠１４がそれぞれ解錠され、ガラス枠２６を開放すると、一体皿ユニット３０と内枠１４とのロック状態が解除可能となる。
【００２３】
一体皿ユニット３０に設けられた球皿部３４の底面は、図１に示されるパチンコ機１０の正面視にて右側から左側へ下り傾斜している。その傾斜方向の上流側となる右側の球皿奥壁面には、パチンコ機１０内に設けられた賞球払出装置（図示省略）から払い出された賞球や貸球が排出される球排出口４６が形成されており、傾斜方向の下流側となる左側の球皿底面上には、上流側から流下する遊技球を１列に整列して一体皿ユニット３０の裏面に配置された球送り装置（図示省略）に送り込むための整列通路が設けられている。この一体皿ユニット３０の球皿部３４に、上記の球排出口４６から遊技球（賞球又は貸球）が排出されると、遊技球は球皿２８内を左方向へ流下し整列通路により１列に整列されて球送り装置に送り込まれる。ここで、遊技者により、発射ハンドル３４が回動操作されると、球送り装置から、内枠１４の左下部に設けられた発射装置（図示省略）に遊技球が送り込まれ、発射装置から遊技盤Ｐの遊技領域へ向けて遊技球が発射される。
【００２４】
また、球皿本体３６の前面における上部中央には、３桁表示が可能な７セグメント表示器により、台間球貸機に挿入したプリペイドカードの残度数等を表示する表示装置５０が設けられており、表示装置５０の右側には、貸球の貸し出し操作を行う球貸ボタン５２と、台間球貸機からプリペイドカードを取り出すための返却ボタン５４が配設されている。
【００２５】
（操作装置の構成）
次に、本実施形態に係る一体皿ユニット３０に設けられた球貸ボタン５２及び返却ボタン５４を備える操作装置について説明する。
【００２６】
図２に示されるように、一体皿ユニット３０の球皿本体３６における前面上部には、球皿外装パネル６２と操作パネル６４とをユニット化して構成された操作部ユニット６０が設けられ、この操作部ユニット６０は、球皿本体３６の前面上部に形成されたユニット取付部６６に嵌め込まれて、球皿本体３６の裏面側から図示しないネジにより取り付けられるようになっている。
【００２７】
前述した表示装置５０は、このユニット取付部６６の中央部に取り付けられている。また、ユニット取付部６６の右側には、正面視略コ字状のリブによって構成される一対の台座６８、６９が左右幅方向に所定の間隔で設けられており、この一対の台座６８、６９には、スイッチ基板７０が取り付けられるようになっている。
【００２８】
スイッチ基板７０のプリント配線板７２には、前面の左右側端部における所定位置に、同一構成の２つのスイッチ７４、７５が実装されている。これらのスイッチ７４、７５は、可動検出部７６、７７が押し込まれることによりＯＦＦ状態からＯＮ状態に切り替わるプッシュスイッチであり、スイッチ基板７０が台座６８、６９に取り付けられると、対応する台座６８、６９のほぼ中央にそれぞれ配置されるようになっている（図７参照）。プリント配線板７２の前面中央には、プリント配線板７２に配線されたパターンを介してスイッチ７４、７５と電気的に接続されたコネクター７８が実装されている。このコネクター７８には、パチンコ機１０内に設けられた制御基板（図示省略）のケーブルが接続され、これにより、スイッチ７４、７５は制御基板と電気的に接続され、スイッチ７４、７５から出力されるスイッチング信号（ＯＮ／ＯＦＦ信号）が制御基板に入力されるようになる。
【００２９】
操作パネル６４は、例えばダークスモーク色のＡＢＳ樹脂等のような、有色で光透過性を有する合成樹脂により型成形によって形成されている。この操作パネル６４は、図３に示されるように、横長の略矩形状とされ、球皿本体３６及び球皿外装パネル６２の表面形状（曲面）に倣い、前面６４Ａの中央部が側端部に対し前方へ膨らんだ曲面状とさている。
【００３０】
操作パネル６４の前面６４Ａには、中央に逆三角形状の凸部８０が設けられ、凸部８０の左右に、図示のような略平行四辺形状の凸部８２、８４が設けられている。凸部８２、８４の前面（表面）には、ＰＥＴ樹脂等の合成樹脂によって形成されたフィルム８６、８８が設けられており、これらのフィルム８６、８８は、操作パネル６４の成形時にインサート成形されることで凸部８２、８４の前面に固着され、操作パネル６４に一体的に設けられている。
【００３１】
また、この合成樹脂製のフィルム８６、８８には、インサート成形前のフィルム単品状態で印刷を施すことができるため、本実施形態の場合、左側の凸部８２に設けるフィルム８６の表面に、例えばパチンコ機１０の製造会社名や機種名等を印刷して表示することが可能である。
【００３２】
右側の凸部８４の前面８４Ａ（図７参照）に設けられているフィルム８８には、前述した球貸ボタン５２及び返却ボタン５４にそれぞれ対応する正面視円形の所定部位（図６参照）を、図７に示されるように、周辺部に対して前方へ僅かに膨出させた膨出部９２、９４が設けられている。また、図３及び図４に示されるように、フィルム８８の表面における膨出部９２、９４の周縁（周辺部との境界）には、各ボタンの位置を示す円形の輪郭線９０が印刷によって設けられ、さらに、膨出部９２、９４の下方には、各ボタンの名称（「玉貸」／「返却」）を示すボタン名表示９１が印刷によって設けられている。
【００３３】
操作パネル６４には、図５〜図７に示されるように、フィルム８８の膨出部９２、９４にそれぞれ対応する弾性片９６、９８が設けられており、本実施形態では、球貸ボタン５２は膨出部９２及び弾性片９６によって構成され、返却ボタン５４は膨出部９４及び弾性片９８によって構成されている。なお、弾性片９６、９８は、図６に示されるように、正面視では左右が反転されるが基本的には同一形状のものである。
【００３４】
図６及び図７に示されるように、弾性片９６、９８は、フィルム８８の膨出部９２、９４と略同径にそれぞれ形成された略円形状の孔部１００内に配置されており、本実施形態では、操作パネル６４の成形時に型成形によって形成され、凸部８４に一体的に設けられている。また、図７に示されるように、弾性片９６の前面９６Ａ及び弾性片９８の前面９８Ａは、周辺部に対して中央部が少し盛り上がった曲面状とされており、弾性片９６の前面９６Ａは膨出部９２の裏面に密着し、弾性片９８の前面９８Ａは膨出部９４の裏面に密着して、これらの弾性片９６、９８はフィルム８８に被覆されている。
【００３５】
球貸ボタン５２を構成する弾性片９６は、図６に示されるように、孔部１００の内周縁１０１における右下部から左側へ略水平に延出され途中から上方へ円弧状に屈曲された略Ｊ字状で弾性変形が可能とされた腕部１０２、及び、腕部１０２の先端に繋がれてその先端の右側となる孔部１００の略中央に配置された略矩形板状の押圧部（可動部）１０４を備えており、押圧部１０４の裏面には、図７に示されるように、後方へ所定寸法突出されたボス部１０６が設けられている。この腕部１０２を介して孔部１００の内周縁１０１に繋がれた弾性片９６の押圧部１０４は、腕部１０２によって片持ち状態に支持されている。
【００３６】
返却ボタン５４を構成する弾性片９８は、孔部１００の内周縁１０１における左下部から右側へ略水平に延出され途中から上方へ円弧状に屈曲された略逆Ｊ字状で弾性変形が可能とされた腕部１０３、及び、腕部１０３の先端に繋がれてその先端の左側となる孔部１００の略中央に配置された略矩形板状の押圧部（可動部）１０５を備えており、押圧部１０５の裏面には、後方へ所定寸法突出されたボス部１０７が設けられている。この腕部１０３を介して孔部１００の内周縁１０１に繋がれた弾性片９８の押圧部１０５は、腕部１０３によって片持ち状態に支持されている。
【００３７】
球皿外装パネル６２は、ＡＢＳ樹脂等の合成樹脂により型成形によって形成されている。図３に示されるように、球皿外装パネル６２の中央部には、操作パネル６４の凸部８０に対応する逆三角形状の開口部１１０が形成され、開口部１１０の左右には、操作パネル６４の凸部８２、８４に対応する略平行四辺形状の開口部１１２、１１４が形成されている。上述した操作パネル６４は、この球皿外装パネル６２の裏面に取り付けられており、その取付状態では、図４に示されるように、球皿外装パネル６２の開口部１１０、１１２、１１４に操作パネル６４の凸部８０、８２、８４が嵌め込まれるとともに、開口部１１０、１１２、１１４から露出された凸部８０、８２、８４の露出面（前面）が球皿外装パネル６２の前面とほぼ面一にされている。
【００３８】
この球皿外装パネル６２と操作パネル６４とがユニット化されて構成された操作部ユニット６０は、前述したように、球皿本体３６の前面上部に形成されたユニット取付部６６に嵌め込まれて取り付けられている。その取付状態では、図７に示されるように、操作パネル６４における凸部８４の裏側（裏面８４Ｂの後方）にスイッチ基板７０が配置されるとともに、球貸ボタン５２を構成する弾性片９６に設けられたボス部１０６がスイッチ基板７０に設けられたスイッチ７４の前側に配置されて、ボス部１０６の先端面がスイッチ７４の可動検出部７６に略接触し、返却ボタン５４を構成する弾性片９８に設けられたボス部１０７がスイッチ７５の前側に配置されて、ボス部１０７の先端面がスイッチ７５の可動検出部７７に略接触している。
【００３９】
また、操作パネル６４における凸部８０の裏側には表示装置５０が配置され（図１参照）、この表示装置５０によって表示される情報は、パチンコ機１０の前方から光透過性を有する凸部８０を通して視認できるようになる。
【００４０】
次に、以上説明したパチンコ機１０の操作装置の作用について説明する。
【００４１】
本実施形態のパチンコ機１０において、遊技者が貸球を借用する場合には、パチンコ機１０に隣接配置された台間球貸機にプリペイドカードを挿入し、一体皿ユニット３０の球皿本体３６における前面上部に設けられた球貸ボタン５２を押圧操作することにより行う。また、台間球貸機からプリペイドカードを取り出す場合には、返却ボタン５４を押圧操作することにより行う。このボタン操作では、遊技者が球皿本体３６の上部中央付近に左手を乗せると、左手の親指が右方向に向けられて球貸ボタン５２及び返却ボタン５４の近傍に配置されるため、通常は、そのような状態で、フィルム８８の表面に対して少し盛り上がっている球貸ボタン５２及び返却ボタン５４の位置を目視しなくとも左手の親指の触感で容易に把握することができ、所望のボタンを簡単に押すことができる。
【００４２】
ここで、球貸ボタン５２が押圧されると（図７の矢印Ｐ１）、すなわち、球貸ボタン５２を構成するフィルム８８の膨出部９２が表面側から押圧されると、膨出部９２は裏面側へ弾性変形し、それに伴い膨出部９２に密着された弾性片９６の押圧部１０４は膨出部９２に直接押されて操作パネル６４の裏側へ移動し、押圧部１０４を支持する腕部１０２は操作パネル６４の裏側へ弾性変形する。この押圧部１０４のボス部１０６に可動検出部７６が押し込まれて、スイッチ７４がＯＦＦ状態からＯＮ状態に切り替わり、パチンコ機１０では、機内に設けられた賞球払出装置から所定数の貸球が払い出され、球排出口４６から一体皿ユニット３０の球皿部３４に排出される。また、スイッチ７４は、スイッチ基板７０を支持する台座６８のほぼ中央に配置されているため、このスイッチ７４に加わる押圧力は台座６８によって受け止められる。これにより、プリント配線板７２が後側へ撓んで可動検出部７６が押し込み不良となることを防止できている。
【００４３】
また、球貸ボタン５２の押圧が解除されると、膨出部９２は自身の弾性力によって元の膨出状態に復帰し、それに伴い弾性片９６の押圧部１０４は腕部１０２の弾性力によって元の位置に復帰する。これにより、押圧部１０４のボス部１０６による可動検出部７６の押し込みが解除されて、スイッチ７４がＯＮ状態からＯＦＦ状態に切り替わる。
【００４４】
返却ボタン５４の場合も球貸ボタン５２と同様に、返却ボタン５４が押圧されると（図７の矢印Ｐ２）、すなわち、返却ボタン５４を構成するフィルム８８の膨出部９４が表面側から押圧されると、膨出部９４は裏面側へ弾性変形し、それに伴い膨出部９４に密着された弾性片９８の押圧部１０５は膨出部９４に直接押されて操作パネル６４の裏側へ移動し、押圧部１０５を支持する腕部１０３は操作パネル６４の裏側へ弾性変形する。この押圧部１０５のボス部１０７に可動検出部７７が押し込まれて、スイッチ７５がＯＦＦ状態からＯＮ状態に切り替わり、台間球貸機では、機内に挿入されたプリペイドカードが排出される。また、このスイッチ７５も、スイッチ基板７０を支持する台座６９のほぼ中央に配置されているため、このスイッチ７５に加わる押圧力は台座６９によって受け止められ、プリント配線板７２が後側へ撓むことによる可動検出部７７の押し込み不良を防止できている。
【００４５】
また、返却ボタン５４の押圧が解除されると、膨出部９４は自身の弾性力によって元の膨出状態に復帰し、それに伴い弾性片９８の押圧部１０５は腕部１０３の弾性力によって元の位置に復帰する。これにより、押圧部１０５のボス部１０７による可動検出部７７の押し込みが解除されて、スイッチ７５がＯＮ状態からＯＦＦ状態に切り替わる。
【００４６】
そして、このパチンコ機１０の操作装置では、フィルム８８を操作パネル６４の凸部８４の前面８４Ａに一体的に設けているため、この操作パネル６４の凸部８４に一体化されて保持されているフィルム８８の表面に異物の落下等によって衝撃が加えられても、その衝撃力はフィルム８８を保持する凸部８４によって直接的に受け止められるため、フィルム８８が単独で大きく変形したり破損するようなことを防止できる。
【００４７】
また、操作パネル６４の凸部８４に設けた弾性片９６、９８も前面９６Ａ、９８Ａをフィルム８８の膨出部９２、９４に密着させていることにより、操作で膨出部９２、９４が押圧されたときの膨出部９２、９４と弾性片９６、９８の弾性変形量（腕部１０２、１０３の弾性変形量及び押圧部１０４、１０５の変位量）はほぼ等しくされ、操作における膨出部９２、９４の変形量を小さくすることができる。これにより、例えば、弾性片とフィルムの間に隙間があり、操作時には弾性片よりもフィルムの方が大きく変形されるような構成に比べ、フィルム８８に弾性変形及び復元の繰り返しによる疲労破壊が生じにくくなり、フィルム８８の耐久性を向上することができる。
【００４８】
また、フィルム８８をインサート成形によって操作パネル６４における凸部８４の前面８４Ａに一体的に設けるていることにより、部品点数が少なくされて構成が簡素化され、これによって、製造コストを低減することができる。
【００４９】
このように、本実施形態に係るパチンコ機１０の操作装置では、簡単な構成によってコストを抑えつつ、耐破損性及び耐久性を向上させることができる。
【００５０】
また、本実施形態では、球貸ボタン５２及び返却ボタン５４の操作時に、フィルム８８の膨出部９２、９４が表面側から押圧され、膨出部９２、９４が裏面側へ弾性変形すると、操作パネル６４の孔部１００内に設けられた弾性片９６、９８は、孔部１００の略中央に配置された押圧部１０４、１０５が膨出部９２、９４によって押される。これに伴い、孔部１００の内周縁１０１に一端が接続されて他端に接続された押圧部１０４、１０５を片持ち状態に支持する腕部１０２、１０３が弾性変形し、押圧部１０４、１０５は操作パネル６４の裏側へ移動してスイッチ７４、７５の可動検出部７６、７７を押し込む。
【００５１】
この押圧部１０４、１０５及び腕部１０２、１０３を有する弾性片９６、９８では、腕部１０２、１０３が孔部１００の内側を内周縁１０１に沿って延出されていることにより、腕部１０２、１０３の長さ寸法の変更幅を大きくすることができる。これにより、操作パネル６４を含むパチンコ機１０の外装部（操作部ユニット６０）の強度を高めるために、操作パネル６４を高い剛性を有する合成樹脂によって形成するような場合でも、腕部１０２、１０３の長さ寸法を変更することで腕部１０２、１０３の弾性力を容易に調整できるようになる。例えば、腕部１０２、１０３の長さ寸法を大きくすることにより、腕部１０２、１０３の弾性力を小さくすることができ、さらに、腕部１０２、１０３の弾性変形量に伴う押圧部１０４、１０５の移動量（ストローク）を大きくすることができる。これにより、球貸ボタン５２及び返却ボタン５４の操作に必要とされる押圧力を所望の値に容易に設定できるようになり、さらに、可動検出部のストロークが大きいスイッチ等にも容易に対応できるようになるため、設計自由度が向上する。
【００５２】
次に、操作パネル６４に設ける弾性片の変形例について説明する。
【００５３】
この変形例では、図８に示されるように、操作パネル６４の孔部１００内に設けられた弾性片１１６、１１８は、それぞれ２本の腕部１０２、１０３を備えている。この２本の腕部１０２、１０３は、図示のように、押圧部１０４、１０５を挟んで上下に配置され上下対称の形状に形成されており、押圧部１０４、１０５は、それら２本の腕部１０２、１０３によって両持ち状態に支持されている。
【００５４】
以上の構成により、この変形例の場合も、各ボタンの操作で、フィルム８８の膨出部９２、９４が表面側から押圧され、膨出部９２、９４が裏面側へ弾性変形すると、弾性片１１６、１１８は、孔部１００の略中央に配置された押圧部１０４、１０５が膨出部９２、９４によって押されるのに伴い、押圧部１０４、１０５を両持ち状態に支持する２本の腕部１０２、１０３がそれぞれ弾性変形する。そして、押圧部１０４、１０５は操作パネル６４の裏側へ移動し、ボス部１０６、１０７によってスイッチ７４、７５の可動検出部７６、７７が押し込まれる。
【００５５】
また、この変形例における弾性片１１６、１１８では、押圧部１０４、１０５が上下に配置された２本の腕部１０２、１０３により両持ち状態に支持されているため、押圧部１０４、１０５及びボス部１０６、１０７は前後方向にほぼ直線移動するようになり、これによって、可動検出部７６、７７の押し込み不良を確実に防止することができる。
【００５６】
以上、本発明を上述した特定の実施形態により詳細に説明したが、本発明はそれに限定されるものではなく、本発明の範囲内にて他の種々の実施形態が可能である。
【００５７】
例えば、上述した実施形態では、貸球の貸し出し操作や球貸機に挿入したプリペイドカードの取り出し操作を行うためのボタンを備える操作装置を例に説明したが、本発明はこれに限らず、例えば、遊技において変動表示される図柄を停止させるための停止ボタン等を備える他の操作装置にも適用することことができる。
【図面の簡単な説明】
【００５８】
【図１】本発明の一実施形態に係るパチンコ機を示す正面図である。
【図２】本発明の一実施形態に係る一体皿ユニットを示す分解斜視図である。
【図３】図２の一体皿ユニットにおける操作部ユニットの分解状態を示す拡大斜視図である。
【図４】図２の一体皿ユニットにおける操作部ユニットの組立状態を示す拡大斜視図である。
【図５】本発明の一実施形態に係る一体皿ユニットを示す正面図である。
【図６】図５のＡ部付近を示す拡大正面図である。
【図７】図５のＡ部付近を示す７−７線断面図である。
【図８】本発明の他の実施形態に係る一体皿ユニットに設けられた操作ボタン付近を示す拡大正面図である。
【符号の説明】
【００５９】
１０        パチンコ機
３０        一体皿ユニット
６０        操作部ユニット（外装部）
６２        球皿外装パネル（外装部）
６４        操作パネル（外装部／パネル部材）
７４、７５        スイッチ
７６、７７        可動検出部
８４        凸部
８４Ａ      前面（表面）
８８        フィルム
９６、９８        弾性片
１００        孔部
１０１        内周縁
１０２、１０３        腕部
１０４、１０５        押圧部
１１６、１１８        弾性片
【図１】
2006025971.tif 000003
【図２】
2006025971.tif 000004
【図３】
2006025971.tif 000005
【図４】
2006025971.tif 000006
【図５】
2006025971.tif 000007
【図６】
2006025971.tif 000008
【図７】
2006025971.tif 000009
【図８】
2006025971.tif 000010